(57)【要約】【課題】  取り付け時にガラスボウルを割る恐れがなく、かつ簡便にガラスボウルを取り付け,取り外しが可能となるガラスボウル洗面カウンターである。【解決手段】  本発明では、ガラスボウルと、前記ガラスボウルを取り付けるカウンターとを備えるガラスボウル洗面カウンターにおいて、前記カウンターへのカウンター側事前取り付け部と、前記ガラスボウルのボウル側事前取り付け部と、前記カウンターへ前記ボウル側事前取り付け部を固定する固定部と、を備えることを特徴とするガラスボウル洗面カウンター、  または、前記ガラスボウル内面から挿入される排水ヘッドに第１切り欠き部を備え、前記ガラスボウル外面に位置する前記ボウル側事前取り付け部に第２切り欠き部を備え、前記第１および第２切り欠き部に設置される回動防止部もさらに備えるガラスボウル洗面カウンターを提供する。【選択図】  図２
2005334529.tif 000002
【特許請求の範囲】
【請求項１】
ガラスボウルと、前記ガラスボウルを取り付けるカウンターとを備えるガラスボウル洗面カウンターにおいて、前記カウンターへのカウンター側事前取り付け部と、前記ガラスボウルのボウル側事前取り付け部と、前記カウンターへ前記ボウル側事前取り付け部を固定する固定部と、を備えることを特徴とするガラスボウル洗面カウンター。
【請求項２】
前記ガラスボウル内面から挿入される排水ヘッドに第１切り欠き部を備え、前記ガラスボウル外面に位置する前記ボウル側事前取り付け部に第２切り欠き部を備え、前記第１および第２切り欠き部に設置される回動防止部を備えることを特徴とする請求項１記載のガラスボウル洗面カウンター。
【請求項３】
前記ガラスボウル外面に備えられる前記ボウル側事前取り付け部の外面当接部に環状弾性体を備えたことを特徴とする請求項１または２記載のガラスボウル洗面カウンター。
【発明の詳細な説明】
【技術分野】
【０００１】
本発明は、ガラスボウルと、前記ガラスボウルを取り付けるカウンターとを備えるガラスボウル洗面カウンターに係り、特にガラスボウルの取り付けおよび取り外しに好適なガラスボウル洗面カウンターに関する発明である。 
【背景技術】
【０００２】
従来のガラスボウル洗面カウンターは、カウンターを介して排水金具を下方より締め付けている。（例えば、特許文献１参照。）。 
このような場合、締め付けすぎるとガラスボウルを割ってしまう恐れなどの問題があった。また取り外しにも時間を要すると共にガラスボウルの側面を周方向に触ることでガラスボウルが回転し不用意に外れる恐れも生じていた。
【０００３】
【特許文献１】特開２００２−４７９号公報（第３頁、第１図）
【発明の開示】
【発明が解決しようとする課題】
【０００４】
本発明は、上記問題を解決するためになされたもので、本発明の課題は、取り付け時にガラスボウルを割る恐れがなく、かつ簡便にガラスボウルを取り付け,取り外しが可能となるガラスボウル洗面カウンターである。
なお本発明においてガラスボウルは、通常のガラスでできたボウルは当然のこと、衛生設備などに用いられる陶器、天然石、ステンレス、またはアクリル、エポキシ、ポリエステルなどの人工大理石も含んでいる。
【課題を解決するための手段】
【０００５】
上記目的を達成するために請求項１記載の発明によれば、
ガラスボウルと、前記ガラスボウルを取り付けるカウンターとを備えるガラスボウル洗面カウンターにおいて、前記カウンターへのカウンター側事前取り付け部と、前記ガラスボウルのボウル側事前取り付け部と、前記カウンターへ前記ボウル側事前取り付け部を固定する固定部と、を備えることを特徴とするガラスボウル洗面カウンターを提供する。
よって、ガラスボウルをカウンターに取り付ける際にガラスボウル自体に締め付けなどによる異常な負荷が伝わる恐れがない。
したがって、ガラスボウル自体の取り付け時の破壊する確率が極めて低くなる。またさらにガラスボウルの着脱の際に外部の配管をはずすことなくガラスボウルのみをはずすことができるので作業が格段に簡素化され便利になる。
【０００６】
また、請求項２記載の発明のよれば、
前記ガラスボウル内面から挿入される排水ヘッドに第１切り欠き部を備え、前記ガラスボウル外面に位置する前記ボウル側事前取り付け部に第２切り欠き部を備え、前記第１および第２切り欠き部に設置される回動防止部を備えることを特徴とする請求項１記載のガラスボウル洗面カウンターを提供する。
よって、ボウル側事前取り付け部と排水ヘッドが回転することがなくなるため、排水ヘッドが回動して外れたり緩んだりすることが防止できる。
したがって、漏水防止になり使い勝手が向上する。
【０００７】
また、請求項３記載の発明のよれば、
前記ガラスボウル外面に備えられる前記ボウル側事前取り付け部の外面当接部に環状弾性体を備えたことを特徴とする請求項１または２記載のガラスボウル洗面カウンターを提供する。
よってガラスボウル外面に環状弾性体の接線部のみが触れることとなる。
したがって、ガラスボウルにクッションもたせ衝撃から割れることを防ぐ。シート状が一般的であるが、カビの生える範囲が広くなり、外観が悪くなる。取替えの際ガラスボウルに固着し取れにくくなるといった不具合を防ぐ。
【発明の効果】
【０００８】
本発明によれば、ガラスボウル取り付け時にガラスボウルを破壊する恐れがなくなり、かつガラスボウル自体の取り付け,取り外しが容易になるという効果がある。
【発明を実施するための最良の形態】
【０００９】
ここで本発明における実施例について以下に示す。
【実施例】
【００１０】
図１は本発明の第１実施例のガラスボウル洗面カウンターの概略図を示す。図２はカウンターへのガラスボウル取り付け手順を示す説明図である。
【００１１】
図１に示すガラスボウル洗面カウンター９０は、カウンター１０の左右へ四角形状のフレーム１を備えており、カウンター１０のほぼ中央上部にはガラスボウル３０、奥側端部には前記ガラスボウル３０へ向けて吐水する水栓金具２を備えている。
水栓金具２の上部の操作部を上下すると、前記ガラスボウル３０に向けて水栓金具２の先端にある吐水口より吐水するようになっている。また操作部を左右にすると吐水される水の温度を調整することができる。
【００１２】
次に図２を用いガラスボウルのカウンターへの取り付けについて説明する。なお図中点線で囲んでいる手順は工場出荷時に行われる作業である。
まず現場での施工手順について説明する。
図示しないフレーム上に設置されたカウンター１０には、ほぼ中央に取り付け穴１１、その周りにネジ穴１２を４箇所および隅に水栓取り付け穴１３が設けられている。
取り付け穴１１の上部にゴムパッキン２２を設置し、さらに排水本体２１を設置する。その後カウンター１０の裏側に突出した排水本体２１にはめ込む形で平パッキン２３、スリップワッシャー２４、排水本体固定ナット２５が設けられる。ここで本実施例では、排水本体２１、ゴムパッキン２２、平パッキン２３、スリップワッシャー２４、排水本体固定ナット２５がカウンター側事前取り付け部７０である。
次にあらかじめ工場出荷時にボウル側事前取り付け部６０が備えられたガラスボウル３０を排水本体２１上にセットする。
セット後、固定部となるネジ２６により後述するボウル側事前取り付け部６０の一部である台座４８をカウンター１０を介して固定する。
よって現場ではガラスボウル取り付け時には、カウンター側事前取り付け部７０の取り付け後、ネジ２６を４箇所のみでガラスボウル３０をカウンター上へ取り付けることが可能となる。
したがって、ガラスボウル３０を取り外す際にはネジ２６をはずすのみであり、カウンター１０の下方にある外部排水管８０などには一切手を加える必要がなく、大変簡便にガラスボウルの取り付け取り外しが可能となる。
【００１３】
次に工場出荷前の作業について説明する。
ガラスボウル３０のボウル穴３３には、内面３１側より目皿４１、排水ヘッド４２、ゴムパッキン４３が設置され、ボウル穴３３より突出する排水ヘッド４２部分に外面３２側より三角パッキン４４、スリップワッシャ４５、締め付けナット４６、パッキン４７、台座４８、回動防止部としてのストッパー４９、台座固定ナット５０の順にセットされる。
次にパッキン４７の設置状況について説明する。
台座４８にリング状のパッキン４７を挿入する図示しない溝が設けられ、ガラスボウル３０の外面３２と台座４８との間にリング状の弾性体であるパッキン４７が挿入された構造となっている。
よって、ガラスボウルにクッション性をもたせ衝撃による割れを防ぐとともに、リング状でガラスボウルとの接触部が線接触状態であるのでカビの生える範囲が狭くなり、外観が悪くならない。また取替えの際にボウルに固着し取れにくくなるといった不具合が少なくなる。
【００１４】
次に回動防止部であるストッパーについて図3を用い説明する。図3はガラスボウルの外面より台座を見た図である。
前記ガラスボウル３０の内面３１から挿入される排水ヘッド４２に第１切り欠き部１０１を備え、前記ガラスボウル外面３２に位置する前記ボウル側事前取り付け部の一部である台座４８に第２切り欠き部１０２を備えている。各切り欠き部１０１、１０２がつながった状態で、その状態を維持させるように回動防止部であるストッパー４９が前記第１および第２切り欠き部に設置される。
したがって、各切り欠き部の位置がストッパーが勘合されたことでずれることがない。
よって、ボウル側事前取り付け部と排水ヘッドが回転することがなくなるため、排水ヘッドが回動して外れたり緩んだりすることが防止できる。
したがって、漏水防止になり使い勝手が向上する。
【図面の簡単な説明】
【００１５】
【図１】本発明の第１実施例のガラスボウル洗面カウンターの概略図である
【図２】本発明のカウンターへのガラスボウル取り付けて順を示す説明図である
【図３】本発明のストッパーの説明図である。
【符号の説明】
【００１６】
１…フレーム
２…水栓金具
１０…カウンター
１１…取り付け穴
１２…ネジ穴
１３…水栓取り付け穴
２１…排水本体
２２…ゴムパッキン
２３…平パッキン
２４…スリップワッシャー
２５…排水本体固定ナット
２６…ネジ
３０…ガラスボウル
３１…内面
３２…外面
３３…ボウル穴
４１…目皿
４２…排水ヘッド
４３…ゴムパッキン
４４…三角パッキン
４５…スリップワッシャー
４６…締め付けナット
４７…パッキン
４８…台座
４９…ストッパー
５０…台座固定ナット
６０…ボウル側事前取り付け部
７０…カウンター側事前取り付け部
８０…外部排水管
９０…ガラスボウル洗面カウンター
１０１…第１切り欠き部
１０２…第２切り欠き部
【図１】
2005334529.tif 000003
【図２】
2005334529.tif 000004
【図３】
2005334529.tif 000005